(57)【要約】【課題】遊技機の収納箱に対する不正な行為を防止する機構の簡素化と経済性を図る。【解決手段】台側係合機構６１が箱側係合機構６２に嵌め込まれて直線的な上側への移動によって摺接係合するのに伴い、収納箱６０の上面が台側ロック機構６３のアーム８７を上方に押し上げ、台側ロック機構６３の取手８５および回転支持部８６が収納箱６０の箱側ロック機構６４に格納され、収納箱６０が取付台５５に取り付けられた後、ロックねじ６５乃至６７がロックねじ６５乃至６７に対応する別々の工具で操作されて台側ロック機構６３と箱側ロック機構６４とを互いに結合された場合、工具係合部９６乃至９８に対応する別々の工具を用いなければ、ロックねじ６５乃至６７による台側ロック機構６３と箱側ロック機構６４との結合が解除することができないようになっている。【選択図】図１
2006204579.tif 000002
【特許請求の範囲】
【請求項１】
遊技機に取付台を設け、取付台に台側係合機構と台側ロック機構とを設け、収納箱に箱側係合機構と箱側ロック機構とを設け、箱側係合機構と台側係合機構との直線的な摺接係合によって収納箱が取付台に取り付けられ、台側ロック機構と箱側ロック機構とが互いに嵌め込まれるとともに複数のロックねじで互いに結合された遊技機の収納箱取付装置において、複数のロックねじが互いに別々の工具を装着するための異なる形状に形成されたことを特徴とする遊技機の収納箱取付装置。
【請求項２】
工具係合部がプラスドライバやマイナスドライバと呼ばれる汎用工具で回転操作不可能な特殊な形状に形成されたことを特徴とする請求項１記載の遊技機の収納箱取付装置。
【発明の詳細な説明】
【技術分野】
【０００１】
本発明は、遊技機の収納箱に対する不正な行為を防止する機構が簡素かつ経済的な取付装置に関する。
【背景技術】
【０００２】
遊技機の１つであるパチンコ球と呼ばれる球体を遊技媒体として使用するパチンコ機には、遊技機枠または遊技機枠に装着される遊技盤に取り付けられた取付台に台側係合機構を設け、電気部品の実装された回路基板を収納した収納箱に箱側係合機構を設け、箱側係合機構が台側係合機構に上方から下方に嵌め込まれることによって、収納箱が取付台に取り付けられている。そして、収納箱の取付台から取り外されるのを邪魔する機械的な邪魔板、邪魔板が取付台から取り外されるのを電気的に検出するセンサ、電気ロックを取付台に設け、収納箱の内部に回路基板に実装されたＲＯＭが不正ＲＯＭに交換されるような不正行為を防止するものが知られている。しかしながら、邪魔板なる機械的な機構と、センサや電気ロックなる電気的な機構とを併用するので、構造が複雑であるうえ、パチンコ機が遊技店に設置されている期間、四六時中、電気を使用することから、不経済であるという欠点がある。
【特許文献１】特開平１１−９００１２号公報
【発明の開示】
【発明が解決しようとする課題】
【０００３】
発明が解決しようとする問題点は、構造が複雑であるうえ、不経済であるという点である。
【課題を解決するための手段】
【０００４】
本発明に係る遊技機の収納箱取付装置は、遊技機に取付台を設け、取付台に台側係合機構と台側ロック機構とを設け、収納箱に箱側係合機構と箱側ロック機構とを設け、箱側係合機構と台側係合機構との直線的な摺接係合によって収納箱が取付台に取り付けられ、台側ロック機構と箱側ロック機構とが互いに嵌め込まれるとともに複数のロックねじで互いに結合された遊技機の収納箱取付装置において、複数のロックねじが互いに別々の工具を装着するための異なる形状に形成されたことを最も主要な特徴とする。本発明に係る遊技機の収納箱取付装置において、工具係合部がプラスドライバやマイナスドライバと呼ばれる汎用工具で回転操作不可能な特殊な形状に形成されてもよい。
【発明の効果】
【０００５】
本発明に係る遊技機の収納箱取付装置は、複数のロックねじが互いに別々の工具を装着するための異なる形状に形成されているので、箱側係合機構と台側係合機構との直線的な摺接係合によって収納箱が取付台に取り付けられ、台側ロック機構と箱側ロック機構とが互いに嵌め込まれるとともに複数のロックねじで互いに結合された場合、複数のロックねじを台側ロック機構および箱側ロック機構から取り外す操作が面倒となり、収納箱を取付台から簡単に取り外すことができないという利点がある。本発明に係る遊技機の収納箱取付装置において、工具係合部がプラスドライバやマイナスドライバと呼ばれる汎用工具で回転操作不可能な特殊な形状であれば、収納箱を取付台から取り外すことが一層やりづらくなるという利点がある。
【発明を実施するための最良の形態】
【０００６】
図１乃至図９は、遊技機の１つであるパチンコ機を例とした発明を実施するための最良の形態である。図１は、遊技機の収納箱取付装置を分解して裏側から示す。図２乃至図４は遊技機の収納箱取付装置の作用を示す。図５は、遊技機の収納箱取付装置を裏側から示す。図６は、パチンコ機の遊技機枠１と遊技盤４０とを分解して前側から示す。図７は、可動枠３を裏側から示す。図８は、工具係合部９６乃至９８に相当する工具係合部１０５の種々の形態を示す。図９は、台側コネクタ基板８２の取付台５５への取付構造を分解して裏側から示す。この明細書において、「前」、「後」、「裏」、「左」、「右」、「上」、「下」の方向は、図６の状態に遊技機枠１および遊技盤４０を置いて矢印Ａで示す前側から見た場合に特定される方向である。「後」と「裏」とは同じ方向である。
【０００７】
図６を参照し、パチンコ機における遊技機枠１と遊技盤４０との構造について説明する。遊技機枠１は、固定枠２の前側に可動枠３を左側のヒンジ４で横方向に片開き可能に取り付け、可動枠３の前側に扉５および球皿構造体６を左側のヒンジ７で横方向に片開き可能に取り付けた、構造である。固定枠２は、パチンコ店の図外の遊技機設置構造体に取り付けるための外枠とも呼ばれ、前後方向に貫通した縦長な長方形の空間を囲む額縁形状である。可動枠３は、遊技盤４０を取り付ける前枠とも呼ばれ、前後方向に貫通した縦長な長方形の空間を囲む額縁形状の可動枠本体８から盤収納構造体９を内部に延設する。可動枠本体８の右縦片部には、施錠装置１０と複数のロック機構１１；１２；１３およびロック解除操作体１４が設けられる。盤収納構造体９は、遊技盤４０を装着する前側に開口した盤収納室１５の背壁１６に前後方向に貫通する中央開口部１７を備える。背壁１６の左側部には、盤押圧体１８および盤受止体１９が設けられる。背壁１６の右側部には、盤ロック機構２０が設けられる。盤ロック機構２０は、背壁１６から前側に突出する円筒状の台座の中心にロック操作体２１を回転可能に備える。ロック操作体２１は、台座から前側に突出した操作軸の端部に固定された横長な形態である。盤収納室１５の下縁部は、遊技盤４０を搭載する左右方向に平坦な面としての盤棚２２を形成する。
【０００８】
盤棚２２から下方に延設された盤収納構造体９における前壁２３の前面には、球発射機構２４、球発射レール２５、ファール球取入口２６、払出球中継樋２７が設けられる。球発射レール２５は、球皿構造体６の球供給口３４から供給された１個の球を受け取る。球発射機構２４は、電力の供給と遮断とを交互に受けることによって、球皿部３１から球発射レール２５に供給された球を遊技盤４０の遊技領域４１に向けて１個ずつ発射する。球発射レール２５は、球発射機構２４から発射された球を、遊技盤４０における球発射通路５０の入口に誘導する。払出球中継樋２７は、可動枠３の裏側に設けられた球払出装置５４（図７参照）から払い出された球を球皿構造体６の球取入口３３に排出する。前壁２３の裏面には、機外排出樋２８が設けられる。機外排出樋２８は、遊技盤４０の裏側から排出された球を受け取って遊技機設置構造体における捕球機構に排出する。扉５は、パネル枠とも呼ばれ、前後方向に貫通する窓２９を囲む額縁形状である。扉５の裏面には、前面パネル３０が窓２９を覆う格好で扉５の裏側から取り付けられる。前面パネル３０は、ガラスまたは合成樹脂などの材料からなる光を透過する性質の有る板状である。球皿構造体６の前面には、球皿部３１および発射操作機構３２が設けられる。球皿部３１は、遊技に使用する球を受ける容器であって、球を収容する部分を上方に開口した上方から下方に窪む窪みとして有する。発射操作機構３２は、遊技者が球を発射するために操作するものである。球皿構造体６の裏面には、球取入口３３および球供給口３４が設けられる。球取入口３３は、払出球中継樋２７から排出された球を球皿部３１に供給する部分である。球供給口３４は、球皿部３１から球発射機構２４に球を供給する部分である。
【０００９】
遊技機枠１では、可動枠３や扉５および球皿構造体６が閉じられてロック機構１１乃至１３で開閉不能に支持された場合、遊技店の店員が図外のキープレート（鍵）を遊技機枠１の前側から施錠装置１０の鍵穴３５に挿入し、当該キープレートを例えば右側に９０度回転操作すると、固定枠２と可動枠３とのロック機構１１による支持形態が解除される。この支持形態の解除後に、店員が可動枠３を前側に引くことによって、可動枠３はヒンジ４を回転中心として前側に片開きされる。また、上記施錠装置１０の鍵穴３５に挿入されたキープレートが例えば左側に９０度回転操作されると、可動枠３と扉５とのロック機構１２による支持形態が解除される。この支持形態の解除後に、店員が扉５を前側に引くことによって、扉５はヒンジ７を回転中心として前側に片開きされる。このように、扉５が前側に開かれた状態において、店員が可動枠３の前面に設けられたロック解除操作体１４を操作すると、可動枠３と球皿構造体６とのロック機構１３による支持形態が解除される。この支持形態の解除後に、店員が球皿構造体６を前側に引くことによって、球皿構造体６はヒンジ７を回転中心として前側に片開きされる。
【００１０】
遊技盤４０の前面には、内ガイドレール４２と外ガイドレール４３とで囲まれた内側の遊技領域４１に、入賞部品４４、遊技釘４５、風車４６、サイドランプ４７、飾り部品４８、アウト口４９などの前側部品を備える。飾り部品４８は、センター飾りとも呼ばれる。飾り部品４８の裏側には、画像表示装置が配置される。画像表示装置は、画像表示装置の表示画面に表示された画像が遊技盤４０の前側から飾り部品４８の光を透過する性質の有る合成樹脂からなる保護パネルを通して見えるように、遊技盤の裏面における球案内構造体に取り付けられる。内ガイドレール４２の左側部と外ガイドレール４３の左側部との間に形成された隙間は、球発射通路５０である。球発射通路５０は、球発射機構２４から発射された球を遊技領域４１に誘導する。遊技盤４０の右側部には、盤側取付部５１が、上下に位置して設けられる。盤側取付部５１は、ロック挿入孔５２を個別に備える。
【００１１】
遊技盤の裏面には、図示は省略するが、球案内構造体と画像表示装置と取付台と主制御装置および演出制御装置が取り付けられる。球案内構造体は、セット板とも呼ばれ、遊技盤４０の遊技領域４１から裏面に排出されたパチンコ球と呼ばれる球を、下方に誘導して排出する。画像表示装置は、液晶表示器のように電気的に表示形態を変えられる画像を表示画面に表示する図柄表示器とも呼ばれる画像表示器と、画像表示器を制御する図柄制御装置とが、１つの収納箱の内部に装着された構造である。取付台は、主制御装置や演出制御装置を取り付けるものであって、球案内構造体の裏面に取り付けられる。主制御装置は、遊技の全般を制御するものであって、ＣＰＵ、ＲＯＭ、ＲＡＭ、入力インターフェース、出力インターフェースなどのような、電気部品の実装されたプリント配線板からなる回路基板が、光を透過する性質の有る無色な合成樹脂からなる収納箱の内部に格納され、収納箱が開閉できないように封止部で封印された、構造である。演出制御装置は、主制御装置からの出力によって、表示灯やスピーカなどの遊技を演出する部品を制御するものであって、ＣＰＵ、ＲＯＭ、ＲＡＭ、入力インターフェース、出力インターフェースなどのような、電気部品の実装された回路基板が、光を透過する性質の有る無色な合成樹脂からなる収納箱の内部に格納された、構造である。
【００１２】
そして、遊技盤４０は、遊技機枠１に次のように装着される。扉５が可動枠３の前側に開けられた状態において、遊技盤４０の前面が前側に向けられ、遊技盤４０の裏側が遊技機枠１の方向に向けられ、遊技盤４０が可動枠３の前側から盤収納室１５に挿入され、遊技盤４０の下部が盤棚２２の上に載せられ、遊技盤４０の左側部が盤押圧体１８と盤受止体１９との間に挿入され、遊技盤４０の左側部が盤押圧体１８で前側に押されつつ盤押圧体１８と盤受止体１９とで前後方向から挟まれた後、遊技盤４０の右側部が作業者によって後側に押されると、盤ロック機構２０のロック操作体２１が盤側取付部５１のロック挿入孔５２に後側から挿入されて前側に突出する。その状態において、作業者がロック操作体２１を例えば左方向に９０度回転操作すると、ロック操作体２１がロック挿入孔５２の周りにおける盤側取付部５１と係合し、遊技盤４０が可動枠３に取り付けられる。このように遊技盤４０が可動枠３に取り付けられた場合、遊技盤４０の裏面における球案内構造体と画像表示装置と取付台および主制御装置が、中央開口部１７を経由して盤収納構造体９より裏側に突出する。
【００１３】
図７を参照し、可動枠３の裏側の構造について説明する。可動枠３の裏面には、球払出装置５４と取付台５５と電源装置５６および発射払出制御装置５７が設けられる。球払出装置５４は、タンク構造体５８と球払出機構５９および図外の満タン検出機構を備える。そして、パチンコ球と呼ばれる球が、遊技機設置構造体における補給系統からタンク構造体５８の内部に供給された状態において、球払出機構５９の払出駆動源たるステップモータが一方向に回転して球払出機構５９のスプロケットのような球払出体を一方向に回転するのに伴い、球払出体がタンク構造体５８から球払出機構５９の内部に供給された球を１個ずつ分離しつつ下方に払い出し、球払出機構５９の払出球検出器が球払出体から払い出された球を電気的に検出するごとに払出球検出信号を主制御装置および発射払出制御装置５７に出力する。球払出機構５９の払出球検出器を通過した球は、満タン検出機構を経由して払出球中継樋２７（図６参照）に到達する。取付台５５は、電源装置５６および発射払出制御装置５７を取り付けるものであって、可動枠３の前壁２３の裏面に取り付けられる。電源装置５６は、取付台５５の裏面に、右側に位置して取り付けられる。電源装置５６は、遊技機設置構造体における島電源装置と呼ばれる交流トランスから配線で供給された交流電源をパチンコ機の電気部品に使用される複数の異なる直流電源に変換してパチンコ機の電気部品に供給するものであって、電気部品の実装された回路基板が収納箱の内部に格納された構造である。発射払出制御装置５７は、取付台５５の裏面に、左側に位置して取り付けられる。発射払出制御装置５７は、主制御装置からの出力により球発射機構および球払出装置を制御するものであって、ＣＰＵ、ＲＯＭ、ＲＡＭ、入力インターフェース、出力インターフェースなどのような電気部品の実装された回路基板が、光を透過する性質の有る無色な合成樹脂からなる収納箱６０の内部に格納された構造である。
【００１４】
図１を参照し、遊技機の収納箱取付装置の構造について、可動枠３の裏面に取付台５５を介して取り付けられる発射払出制御装置５７を例として説明する。収納箱取付装置は、台側係合機構６１、箱側係合機構６２、台側ロック機構６３、箱側ロック機構６４、ロックねじ６５；６６；６７を備える。台側係合機構６１および箱側係合機構６２は、互いに、一方向への移動による摺接係合によって、収納箱６０を取付台５５に取り付ける一方、摺接係合による一方向に対する逆方向への移動によって、収納箱６０を取付台５５から取り外すものである。上記一方向への移動は、矢印Ｘ１で示す下方から上方への移動を例とし、逆方向への移動は、矢印Ｘ２で示す上方から下方への移動を例とする。よって、矢印Ｘ１で示す下方から上方への移動は、収納箱６０の取付台５５への取付方向であり、矢印Ｘ２で示す上方から下方への移動は、収納箱６０の取付台５５からの取外方向である。
【００１５】
台側係合機構６１は、可動枠３の裏面に取り付けられた取付台５５の台主体部７０に、左右方向に離れて相対峙して設けられ、左係合突起７１および右係合突起７２を備える。左係合突起７１および右係合突起７２は、取付台５５の下面から同じ寸法だけ上方に離れた位置に配置される。左係合突起７１は、台主体部７０の裏面から裏側に突出する左縦壁７３の内側面に、箱側係合機構６２の左係合溝７５を上下方向に移動可能にかつ前後方向にがたつかないように嵌め込む突起として形成される。左縦壁７３の左係合突起７１を有する内側面は、右縦壁７４と対向する側に位置する面である。右係合突起７２は、台主体部７０から裏側に突出する右縦壁７４の内側面に、箱側係合機構６２の右係合溝７６を上下方向に移動可能にかつ前後方向にがたつかないように嵌め込む突起として形成される。右縦壁７４の右係合突起７２を有する内側面は、左縦壁７３と対向する側に位置する面である。
【００１６】
箱側係合機構６２は、収納箱６０の左側面に設けられた左係合溝７５と、収納箱６０の右側面に設けられた右係合溝７６とからなる。左係合溝７５および右係合溝７６は、互いに、左右方向で対象となる形である。左係合溝７５は、台側係合機構６１の左係合突起７１を上下方向に移動可能にかつ前後方向にがたつかないように嵌め込む溝として形成され、横溝７７と縦溝７８とを備える。横溝７７は、収納箱６０の左側面の前端面および外側に開口し、収納箱６０の左側面の前端面から後側に直線的に延びる。縦溝７８は、収納箱６０の左側面の外側に開口し、横溝７７の後端部から下方に直線的に延びる。右係合溝７６は、台側係合機構６１の右係合突起７２を上下方向に移動可能にかつ前後方向にがたつかないように嵌め込む溝として形成され、横溝７９と縦溝８０とを備える。横溝７９は、収納箱６０の右側面の前端面および外側に開口し、収納箱６０の右側面の前端面から後側に直線的に延びる。縦溝８０は、収納箱６０の右側面の外側に開口し、横溝７９の後端部から下方に直線的に延びる。
【００１７】
そして、収納箱６０が人によって支持され、箱側係合機構６２における左係合溝７５の横溝７７および右係合溝７６の横溝７９が台側係合機構６１における左係合突起７１および右係合突起７２に取付台５５の裏側から前側に向けて直線的に嵌め込まれ、横溝７７；７９の後端部が左係合突起７１および右係合突起７２に衝突した後、収納箱６０が人の操作で下方から上方に移動されると、左係合溝７５の縦溝７８および右係合溝７６の縦溝８０が左係合突起７１および右係合突起７２で誘導されつつ上方に移動し、台側係合機構６１と箱側係合機構６２とが矢印Ｘ１で示す下方から上方への移動による摺接係合によって、収納箱６０が取付台５５に前後方向に抜けないように取り付けられる。このように収納箱６０が取付台５５に取り付けられた状態において、収納箱６０が人の操作で上方から下方に移動されると、左係合溝７５の縦溝７８および右係合溝７６の縦溝８０が左係合突起７１および右係合突起７２で誘導されつつ下方に移動し、縦溝７８；８０の上端部が左係合突起７１および右係合突起７２に衝突した後、収納箱６０が人の操作で前側から後方に移動されると、左係合溝７５の横溝７７および右係合溝７６の横溝７９が左係合突起７１および右係合突起７２で誘導されつつ前側に移して左係合突起７１および右係合突起７２から後側に抜けるというように、台側係合機構６１と箱側係合機構６２とが矢印Ｘ２で示す上方から下方への移動による摺接係合によって、収納箱６０が取付台５５から後側に取り外される。
【００１８】
取付台５５の台主体部７０から裏側に突出した上壁８１の下面には、プリント配線板からなる台側コネクタ基板８２が、台側係合機構６１の左右の間に位置して取り付けられる。台側コネクタ基板８２の下面には、台側コネクタ８３が実装される。収納箱６０の上側の面には、箱側コネクタ８４を備える。そして、前記のように収納箱６０が、台側係合機構６１と箱側係合機構６２との矢印Ｘ１で示す下方から上方への移動による摺接係合によって取付台５５に取り付けられることによって、台側コネクタ８３と箱側コネクタ８４とが互いに接続され、収納箱６０が、それ以上、上方に移動しないように取付台５５に取り付けられる。その状態において、収納箱６０が人の操作で矢印Ｘ２で示す上方から下方に移動されることによって、上記台側コネクタ８３と箱側コネクタ８４との接続が解除され、箱側係合機構６２が台側係合機構６１から後側に引き抜かれ、収納箱６０が取付台５５から取り外される。
【００１９】
台側ロック機構６３は、箱側ロック機構６４に嵌め込まれることによって、収納箱６０を取付台５５に固定するものであって、台側コネクタ８３と箱側コネクタ８４との接続を少ない操作力で解除できるように補助する機能を有し、取手８５の左右両側に一対の回転支持部８６を一方向に突出し、一対の回転支持部８６の前端部からアーム８７を回転支持部８６の左右方向に延びる中心軸に対し直角な一方向に突出し、回転支持部８６を台主体部７０の上部にヒンジ８８で前後方向に回転可能に取り付けた、構造である。箱側ロック機構６４は、台側ロック機構６３に嵌め込まれることによって、収納箱６０を取付台５５に固定するものであって、収納箱６０の裏面に、収納箱６０の裏面から前側に窪む形状に設けられる。箱側ロック機構６４には、取外用凹部８９が、収納箱６０の裏面に、収納箱６０の裏面から前側に窪む形状に設けられる。
【００２０】
そして、台側係合機構６１と箱側係合機構６２とが矢印Ｘ１で示す下方から上方への移動による摺接係合によって、収納箱６０が取付台５５に前後方向に抜けないように取り付けられる場合、収納箱６０の上部がアーム８７を上方に押し上げることによって、取手８５および回転支持部８６がヒンジ８８を中心として前側に回転して箱側ロック機構６４に取り込まれることによって、収納箱６０が取付台５５に固定される。また、収納箱６０が取付台５５から取り外される場合、人が取手８５を箱側ロック機構６４から取り出すように後側に動かすことによって、アーム８７がヒンジ８８を中心として後側に回転して収納箱６０を下方に押し下げる。これによって、台側コネクタ８３と箱側コネクタ８４との接続が、台側ロック機構６３によるてこの原理で容易に解除される。
【００２１】
ロックねじ６５乃至６７は、収納箱６０が台側ロック機構６３と箱側ロック機構６４との嵌め合いにより取付台５５に固定された状態において、台側ロック機構６３を箱側ロック機構６４に締結するものであって、別々の工具でなければ操作できない構造である。ロックねじ６５乃至６７は、ねじ部９０；９１；９２と頭部９３；９４；９５とを同軸に一体に備える。ねじ部９０乃至９２は、頭部９３乃至９５の方向からねじ部９０乃至９２の先端部の方向にいくにしたがって徐々に外径が細くなる棒の外周面に雄ねじの形成されたタッピングスクリューのような構造である。頭部９３乃至９５は、ねじ部９０乃至９２の一端部に設けられる。頭部９３乃至９５の外径は、ねじ部９０乃至９２の外径よりも大きい。頭部９３乃至９５には、工具係合部９６；９７；９８が、別々の工具でなければ操作できないように、互いに異なる形状に設けられる。
【００２２】
台側ロック機構６３の取手８５には、ねじ挿入孔９９および頭収納部１００が設けられる。ねじ挿入孔９９は、ロックねじ６５乃至６７のねじ部９０乃至９２を直線的に挿入するために、取手８５の前面と裏面とに貫通する。頭収納部１００は、ロックねじ６５乃至６７の頭部９３乃至９５を収容するために、取手８５の裏面から内部への窪みである。箱側ロック機構６４には、ねじ結合孔１０１が設けられる。取手８５および回転支持部８６がヒンジ８８を中心として箱側ロック機構６４に取り込まれた場合、ねじ結合孔１０１は、取手８５のねじ挿入孔９９と位置が対応する。
【００２３】
そして、取手８５および回転支持部８６がヒンジ８８を中心として箱側ロック機構６４に取り込まれ、ロックねじ６５乃至６７のねじ部９０乃至９２が取手８５の裏側から頭収納部１００およびねじ挿入孔９９を経由してねじ結合孔１０１に挿入される。その後、人が、図示を省略したロックねじ６５乃至６７に対応する別々の工具を、取手８５の裏側からロックねじ６５乃至６７の工具係合部９６乃至９８に嵌め込んで一方向に回転操作すると、ロックねじ６５乃至６７のねじ部９０乃至９２がねじ結合孔１０１に雌ねじを形成しながら締結され、ロックねじ６５乃至６７の頭部９３乃至９５が頭収納部１００に収容されて頭収納部１００の前面に接触する。これによって、ロックねじ６５乃至６７が台側ロック機構６３と箱側ロック機構６４とを互いに結合する。取付台５５の台主体部７０には、ねじ挿入孔１０２が前後方向への貫通孔として設けられる。ねじ挿入孔１０２は、取付台５５を可動枠３の前壁２３の裏面に取り付けるための止ねじ１０３（図２参照）を挿入するための孔である。
【００２４】
図１乃至図５を参照し、収納箱取付装置の作用について説明する。先ず、図１に示すように発射払出制御装置５７の収納箱６０が人によって取付台５５の後側に配置され、図２に示すようにタッピングスクリューのような止ねじ１０３が取付台５５の裏側からねじ挿入孔１０２を経由して可動枠３の前壁２３に締結され、取付台５５が前壁２３の裏面に取り付けられる。そして、図２において、台側ロック機構６３の取手８５がヒンジ８８を中心として取付台５５から後側に離れるように人によって操作され、箱側係合機構６２における横溝７７；７９の後側開口が台側係合機構６１の左係合突起７１および右係合突起７２と前後方向で向かい合わせられる。その後、収納箱６０が人によって取付台５５の台主体部７０に近づくように前側に矢印Ｘ３で示すように直線的に移動されるのに伴い、箱側係合機構６２の横溝７７；７９が台側係合機構６１の左係合突起７１および右係合突起７２に後側から嵌め込まれて直線的な前側への移動によって摺接係合し、横溝７７；７９の後端部が左係合突起７１および右係合突起７２に衝突すると、箱側コネクタ８４が台側コネクタ８３の真下に到達する。
【００２５】
次に、図３に示すように、収納箱６０が人によって矢印Ｘ４で示すように上方に直線的に移動されるのに伴い、台側係合機構６１の左係合突起７１および右係合突起７２が箱側係合機構６２の横溝７７；７９から縦溝７８；８０に上方から嵌め込まれて直線的な上側への移動によって摺接係合する過程において、収納箱６０の上面が台側ロック機構６３のアーム８７を上方に押し上げる。図２の矢印Ｘ３と図３の矢印Ｘ４とが図１に示す矢印Ｘ１を構成する。引き続き、収納箱６０の矢印Ｘ４で示す上方への移動が進行するのに伴い、収納箱６０の上面が台側ロック機構６３のアーム８７をさらに上方に押し上げ、台側コネクタ８３と箱側コネクタ８４とが互いに嵌め合わされて接続し、台側ロック機構６３の取手８５および回転支持部８６が収納箱６０の箱側ロック機構６４に格納され、収納箱６０が取付台５５に取り付けられる。
【００２６】
その後、図４に示すように、ロックねじ６５乃至６７がロックねじ６５乃至６７に対応する別々の工具で操作され、ロックねじ６５乃至６７のねじ部９０乃至９２が取手８５の裏側から頭収納部１００およびねじ挿入孔９９を経由してねじ結合孔１０１に締結され、ロックねじ６５乃至６７の頭部９３乃至９５が頭収納部１００に収容されて頭収納部１００の前面に接触し、ロックねじ６５乃至６７が台側ロック機構６３と箱側ロック機構６４とを互いに結合する。これによって、図５に示すように、取付台５５に設けられた台側ロック機構６３と収納箱６０に設けられた箱側ロック機構６４とが互いに嵌め合わされ、別々の工具で操作可能な工具係合部９６乃至９８を備えたロックねじ６５乃至６７が台側ロック機構６３と箱側ロック機構６４とを互いに結合しているので、工具係合部９６乃至９８に対応する別々の工具を用いなければ、ロックねじ６５乃至６７による台側ロック機構６３と箱側ロック機構６４との結合を解除することができず、収納箱６０を取付台５５から簡単に取り外すことができないという利点がある。
【００２７】
収納箱６０が取付台５５にロックねじ６５乃至６７による台側ロック機構６３と箱側ロック機構６４との結合によって取り付けられた状態において、人が工具係合部９６乃至９８に対応する別々の工具を収納箱６０の裏側から工具係合部９６乃至９８に差込んで前記締結方向と逆方向に回転操作することによって、ロックねじ６５乃至６７を台側ロック機構６３および箱側ロック機構６４から収納箱６０の裏側に個別に取り外す。そして、人が収納箱６０の裏側から取外用凹部８９に指を入れて取手８５を収納箱６０の裏側に動かして、台側ロック機構６３と箱側ロック機構６４との嵌め合いを解除する。これによって、台側ロック機構６３のアーム８７がヒンジ８８を中心として後側に回転して収納箱６０を下方に押し下げる。この収納箱６０が押し下げられる過程において、台側コネクタ８３と箱側コネクタ８４との接続が解除される。その後、人が、図２に示す台側係合機構６１と箱側係合機構６２との係合を解除するように、収納箱６０を矢印Ｘ２で示す取出方向に移動することによって、収納箱６０が取付台５５から取り外せる。
【００２８】
台側コネクタ８３と箱側コネクタ８４との接続を少ない操作力で解除できるように補助するためのアーム８７が、台側ロック機構６３と別に、取付台５５に設けられてもよいが、図１に示すように、アーム８７が台側ロック機構６３に設けられたので、アーム８７を台側ロック機構６３と別に設けた場合よりも、遊技機の収納箱取付装置としても全体構造が簡単となるという利点がある。
【００２９】
図８を参照し、図１の工具係合部９６乃至９８に相当する工具係合部１０５の構造について説明する。図８において、１０６は図１のロックねじ６５乃至６７に相当するロックねじ、１０７は図１のねじ部９０乃至９２に相当するねじ部、１０８は図１の頭部９３乃至９５に相当する頭部、１０９は頭部１０８の表面を示す。表面１０９は、ロックねじ１０６が図４に示す台側ロック機構６３と箱側ロック機構６４とを互いに結合した場合に、台側ロック機構６３の裏側から見える面である。ａ欄に示す工具係合部１０５は、頭部１０８の表面１０９から内部に窪む凹十字形であって、凹十字形の工具係合部１０５の中央に突起１０４を有する、凹凸複合形に形成される。ｂ欄に示す工具係合部１０５は、頭部１０８の表面１０９から外部に突出する凸花弁形である。ｃ欄に示す工具係合部１０５は、頭部１０８の表面１０９から内部に窪む凹花弁形である。ｄ欄に示す工具係合部１０５は、頭部１０８の表面１０９から内部に窪む凹三角形である。ｅ欄に示す工具係合部１０５は、頭部１０８の表面１０９から外部に突出する凸三角形である。ｆ欄に示す工具係合部１０５は、頭部１０８の表面１０９から外部に突出する凸楕円形である。
【００３０】
図１では、図８のａ欄乃至ｃ欄に示す工具係合部１０５を有するロックねじ１０６をロックねじ６５乃至６７として用いたが、図８のａ欄乃至ｆ欄に示すロックねじ１０６を１本ずつ必要な複数本からなる組み合わせによって、複数本からロックねじ１０６に相当するロックねじ６５乃至６７が異なる形状の工具係合部９６乃至９８となる組み合わせでもよい。また、図８に図示は省略したが、工具係合部１０５の形状は、図８のａ欄乃至ｆ欄に示す形状に限定されるものではなく、凸十字形と凹十字形と凸四角形との組み合わせ、凸十字形と凹四角形と凸四角形との組み合わせ、凹十字形と凹四角形と凸四角形との組み合わせなど種々の形状の組み合わせが考えられる。図８のａ欄乃至ｆ欄に示すように、工具係合部１０５が、プラスドライバやマイナスドライバと呼ばれる汎用工具で回転操作不可能な、特殊な形状であれば、収納箱６０を取付台５５から取り外すことが一層やりづらくなるという利点がある。
【００３１】
図９を参照し、台側コネクタ基板８２が取付台５５における台主体部７０の上壁８１に取り付けられる構造について説明する。取付台５５における台主体部７０の裏面と左縦壁７３の内側面および右縦壁７４の内側面には、基板挿入溝１１０が形成される。取付台５５における上壁８１の下面には、受台１１１が形成される。受台１１１の左右方向の端部には、ねじ取付孔１１２が、前後に離れ、受台１１１の下面と上壁８１の上面とへの貫通孔として形成される。台側コネクタ８３の箱側コネクタ８４を嵌め込む側の面が下に向けられた格好で、台側コネクタ基板８２の左縁部および右縁部が取付台５５の裏側から左縦壁７３の基板挿入溝１１０および右縦壁７４における基板挿入溝１１０に挿入され、台側コネクタ基板８２の前縁部が台主体部７０の基板挿入溝１１０に挿入されることによって、台側コネクタ基板８２が取付台５５に装着される。
【００３２】
台側コネクタ基板８２には、位置決め孔１１３とねじ挿入孔１１４および逃部１１５が形成される。位置決め孔１１３およびねじ挿入孔１１４は、台側コネクタ８３から左側および右側に離れた位置に設けられる。ねじ挿入孔１１４は、位置決め孔１１３を境として前後に分かれて設けられる。台側コネクタ基板８２が基板挿入溝１１０に挿入されて取付台５５に装着された場合、ねじ挿入孔１１４は、ねじ取付孔１１２と対向する。逃部１１５は、ヒンジブラケット１１６を逃げるために、台側コネクタ基板８２の後縁部に設けられる。ヒンジブラケット１１６は、位置決め突起１１７とねじ挿入孔１１８およびヒンジ支持部１１９を備える。位置決め突起１１７は、ヒンジブラケット１１６の上面から上側に突出する。ねじ挿入孔１１８は、位置決め突起１１７を境として前後に分かれ、ヒンジブラケット１１６の上下方向への貫通孔として、ヒンジブラケット１１６に設けられる。位置決め突起１１７が台側コネクタ基板８２の下方から位置決め孔１１３に嵌め込まれた場合、ねじ挿入孔１１８がねじ挿入孔１１４と対向する。ヒンジ支持部１１９は、ヒンジブラケット１１６の後端部に連接される。ヒンジ支持部１１９には、図１の回転支持部８６の端部を嵌め込むための凹部１２０が、前後方向および下側に開口する。ヒンジ支持部１１９の凹部１２０を形成する左右側壁には、軸受孔１２１が、左右方向への貫通孔として形成される。
【００３３】
そして、台側コネクタ基板８２が基板挿入溝１１０に挿入されて取付台５５に装着され、位置決め突起１１７が位置決め孔１１３に嵌め込まれ、ヒンジ支持部１１９が逃部１１５に取り込まれ、ヒンジブラケット１１６が受台１１１の左右方向に端部に対応するように台側コネクタ基板８２に配置され、タッピングスクリューのような止ねじ１２２がヒンジブラケット１１６の下方からねじ挿入孔１１８およびねじ挿入孔１１４を経由してねじ取付孔１１２に締結されることによって、台側コネクタ基板８２およびヒンジブラケット１１６が取付台５５の上壁８１の下面に取り付けられ、台側コネクタ基板８２における台側コネクタ８３と対応する上面が受台１１１と対向する。ヒンジブラケット１１６を止める止ねじ１２２が台側コネクタ基板８２に締結されてもよいが、上記のように止ねじ１２２が上壁８１に締結されれば、止ねじ１２２が台側コネクタ基板８２に締結される場合に比べ、ヒンジブラケット１１６の取付強度が向上するという利点がある。
【００３４】
よって、箱側コネクタ８４が台側コネクタ８３に下方から接続される場合、台側コネクタ基板８２の左縁部と右縁部および前縁部が基板挿入溝１１０で支持され、台側コネクタ基板８２における台側コネクタ８３の設けられた上面が受台１１１で支持されるので、台側コネクタ基板８２に無理な外力が加わることがなく、台側コネクタ基板８２が破損することなく、箱側コネクタ８４が台側コネクタ８３に適切に接続される。また、箱側コネクタ８４が台側コネクタ８３から解除される場合、台側コネクタ基板８２の左縁部と右縁部および前縁部が基板挿入溝１１０で支持され、台側コネクタ基板８２がヒンジブラケット１１６で支持されるので、台側コネクタ基板８２に無理な外力が加わることがなく、台側コネクタ基板８２が破損することなく、箱側コネクタ８４が台側コネクタ８３から適切に解除される。
【００３５】
ヒンジブラケット１１６の凹部１２０には図１の回転支持部８６の端部が嵌め込まれ、ヒンジ８８が回転支持部８６の端部における図外の軸受孔および軸受孔１２１に脱落しないように嵌め込まれることによって、ヒンジ支持部１１９には図１の台側ロック機構６３が回転可能に取り付けられる。
【産業上の利用可能性】
【００３６】
図示は省略するが、収納箱６０は、発射払出制御装置５７以外のスピーカから放出される音を制御する音制御装置、表示灯の点灯・点滅・消灯を制御する表示灯制御装置、スピーカから放出される音や表示灯の点灯・点滅・消灯による演出を制御する演出制御または複合制御と呼ばれる制御装置、賞球や貸球を払い出す球払出機構を制御する払出制御装置、発射機構を制御する発射制御装置、主制御装置、交流を直流に変換する電源装置などにおける収納箱であってもよい。取付台５５は、可動枠３以外の遊技盤４０、パチンコ機の遊技機枠１に相当するスロットマシンの筐体、パチンコ機の遊技盤４０に相当するスロットマシンの図柄表示装置に取り付けられて同様に適用することができる。
【００３７】
図１および図７に示す収納箱６０の矢印Ｘ１で示す取付方向は、裏側から前側への移動を取り除いた下方から上方への直線移動だけでもよく、収納箱６０の矢印Ｘ２で示す取外方向は、前側から裏側への移動を取り除いた上方から下方への直線移動だけでもよい。ロックねじ６５乃至６７の本数は、３本に限定されるものではなく、２本または４本以上でもよいが、ロックねじ６５乃至６７の本数が多くなるのに伴い、収納箱６０を取付台５５から簡単に取り外すことができなくなる。
【図面の簡単な説明】
【００３８】
【図１】遊技機の収納箱取付装置を示す分解斜視図（最良の形態）。
【図２】図５に示すＢ−Ｂ線に沿い切断した断面図に相当し、収納箱を取付台に取り付ける初期状態を示す縦断面図（最良の形態）。
【図３】図５に示すＢ−Ｂ線に沿い切断した断面図に相当し、収納箱が取付台に取り付けられた状態を示す縦断面図（最良の形態）。
【図４】図５に示すＢ−Ｂ線に沿い切断した断面図に相当し、ロックねじが固定された遊技機の収納箱取付装置の要部を示す縦断面図（最良の形態）。
【図５】ロックねじが固定された遊技機の収納箱取付装置の要部を示す裏面図（最良の形態）。
【図６】パチンコ機の遊技機枠と遊技盤とを示す分解斜視図（最良の形態）。
【図７】可動枠の裏側を示す斜視図（最良の形態）。
【図８】工具係合部における種々の形態を示す図表（最良の形態）。
【図９】台側コネクタ基板の取付台への取付構造示す分解斜視図（最良の形態）。
【符号の説明】
【００３９】
５５    取付台
６０    収納箱
６１    台側係合機構
６２    箱側係合機構
６３    台側ロック機構
６４    箱側ロック機構
６５    ロックねじ
６６    ロックねじ
６７    ロックねじ
９６    工具係合部
９７    工具係合部
９８    工具係合部
１０５  工具係合部
１０６  ロックねじ
【図１】
2006204579.tif 000003
【図２】
2006204579.tif 000004
【図３】
2006204579.tif 000005
【図４】
2006204579.tif 000006
【図５】
2006204579.tif 000007
【図６】
2006204579.tif 000008
【図７】
2006204579.tif 000009
【図８】
2006204579.tif 000010
【図９】
2006204579.tif 000011